(57)【特許請求の範囲】
【請求項１】
受信した高周波信号を中間周波信号に変換する周波数変換部と、
前記中間周波信号における受信希望チャネルの帯域成分を選択中間周波信号として得るバンドパスフィルタと、
前記選択中間周波信号に基づき受信強度を検出する受信強度検出回路と、
前記バンドパスフィルタの低域側減衰領域内であり且つ前記受信希望チャネルの周波数よりも所定周波数だけ低い低周波数を有する第１のテスト信号と、前記バンドパスフィルタの高域側減衰領域内であり且つ前記受信希望チャネルの周波数よりも前記所定周波数だけ高い高周波数を有する第２のテスト信号とを順次、前記バンドパスフィルタに供給するテスト信号生成部と、
前記第１のテスト信号が前記バンドパスフィルタに供給された際に前記受信強度検出回路が検出した前記受信強度を低周波受信強度として取り込むと共に、前記第２のテスト信号が前記バンドパスフィルタに供給された際に前記受信強度検出回路が検出した前記受信強度を高周波受信強度として取り込み、前記低周波受信強度と前記高周波受信強度との差に基づいて前記バンドパスフィルタの中心周波数を調整する調整制御回路と、
前記選択中間周波信号の周波数を検出する周波数検出回路と、
受信強度補正回路と、を有し、
前記テスト信号生成部は、前記バンドパスフィルタの通過帯域内において周波数が時間経過につれて変化する第３のテスト信号を前記バンドパスフィルタに供給し、
前記受信強度検出回路は、前記第３のテスト信号が前記バンドパスフィルタに供給された際に得られた前記選択中間周波信号に基づき、前記通過帯域内の第１〜第ｎ（ｎは２以上の整数）の周波数に夫々対応した第１〜第ｎの受信強度を検出し、
前記調整制御回路は、前記第１〜第ｎの受信強度の各々と、基準受信強度との差分を第１〜第ｎの補正値として求め、前記第１〜第ｎの周波数と前記第１〜第ｎの補正値とを対応付けした補正テーブルを生成し、
前記受信強度補正回路は、前記補正テーブルにおける前記第１〜第ｎの補正値のうちで前記周波数検出回路にて検出された周波数に対応付けされている前記補正値により、前記受信強度検出回路で検出された前記受信強度を補正することを特徴とする受信装置。
【請求項２】
前記調整制御回路は、前記低周波受信強度と前記高周波受信強度とが一致するまで前記バンドパスフィルタの中心周波数を変更することを特徴とする請求項１に記載の受信装置。
【請求項３】
前記低周波数は前記受信希望チャネルよりも低周波数側に隣接するチャネルの周波数であり、前記高周波数は前記受信希望チャネルよりも高周波数側に隣接するチャネルの周波数であることを特徴とする請求項１又は２に記載の受信装置。
【請求項４】
前記選択中間周波信号を前記バンドパスフィルタに供給するラインを有し、
前記テスト信号生成部は、オン状態時にだけ前記第１〜第３のテスト信号を前記ラインを介して前記バンドパスフィルタに供給するスイッチを含み、
前記調整制御回路は、前記周波数変換部の動作を停止した状態で前記スイッチをオン状態に設定することを特徴とする請求項１〜３のいずれか１に記載の受信装置。
【請求項５】
前記高周波信号は、周波数分割多重方式で変調された信号であり、
前記選択中間周波信号に対して高速フーリエ変換処理を施して得られた周波数毎の信号成分を表す周波数成分データを得て、前記周波数成分データに対して復調処理を施すことにより復調データ信号を得る復調回路と、
前記第３のテスト信号が前記バンドパスフィルタに供給された際に得られた前記選択中間周波信号における前記通過帯域内の前記第１〜第ｎの周波数に夫々対応した位相を検出して第１〜第ｎの位相情報を得る位相検出回路と、を含み、
前記調整制御回路は、前記第１〜第ｎの周波数と前記第１〜第ｎの位相情報とを対応付けした周波数対位相テーブルを生成し、
前記復調回路は、前記周波数成分データにおける前記第１〜第ｎの周波数に対応した前記信号成分の各々に対して、前記周波数対位相テーブルにて示される前記第１〜第ｎの周波数に対応した前記第１〜第ｎの位相情報に基づく位相補正を施す位相補正回路を有することを特徴とする請求項１に記載の受信装置。
【請求項６】
受信した高周波信号を中間周波信号に変換する周波数変換部と、前記中間周波信号における受信希望チャネルの帯域成分を選択中間周波信号として得るバンドパスフィルタと、前記選択中間周波信号に基づき受信強度を検出する受信強度検出回路と、を有する受信装置の調整方法であって、
前記バンドパスフィルタの低域側減衰領域内であり且つ前記受信希望チャネルの周波数よりも所定周波数だけ低い低周波数を有する第１のテスト信号を前記バンドパスフィルタに供給する第１ステップと、
前記受信強度検出回路が検出した前記受信強度を低周波受信強度として取り込む第２ステップと、
前記バンドパスフィルタの高域側減衰領域内であり且つ前記受信希望チャネルの周波数よりも前記所定周波数だけ高い高周波数を有する第２のテスト信号を前記バンドパスフィルタに供給する第３ステップと、
前記受信強度検出回路が検出した前記受信強度を高周波受信強度として取り込む第４ステップと、
前記低周波受信強度と前記高周波受信強度との差に基づいて前記バンドパスフィルタの中心周波数を調整する第５ステップと、
前記バンドパスフィルタの通過帯域内において周波数が時間経過につれて変化する第３のテスト信号を前記バンドパスフィルタに供給する第６ステップと、
前記第３のテスト信号が前記バンドパスフィルタに供給された際に得られた前記選択中間周波信号に基づき前記受信強度検出回路が検出した前記通過帯域内の第１〜第ｎ（ｎは２以上の整数）の周波数に夫々対応した第１〜第ｎの受信強度を取り込む第７ステップと、
前記第１〜第ｎの受信強度の各々と基準受信強度との差分を第１〜第ｎの補正値として求め、前記第１〜第ｎの周波数と前記第１〜第ｎの補正値とを対応付けした補正テーブルを生成する第８ステップと、
前記補正テーブルにおける前記第１〜第ｎの補正値のうちで前記選択中間周波信号の周波数に対応付けされている前記補正値により、前記受信強度検出回路で検出された前記受信強度を補正する第９ステップと、を有することを特徴とする受信装置の調整方法。
【請求項７】
前記高周波信号は、周波数分割多重方式で変調された信号であり、
前記受信装置は、前記選択中間周波信号に対して高速フーリエ変換処理を施して得られた周波数毎の信号成分を表す周波数成分データを得て、前記周波数成分データに対して復調処理を施すことにより復調データ信号を得る復調回路を含み、
前記選択中間周波信号における前記通過帯域内の前記第１〜第ｎの周波数に夫々対応した位相を検出して第１〜第ｎの位相情報を得るステップと、
前記第１〜第ｎの周波数と前記第１〜第ｎの位相情報とを対応付けした周波数対位相テーブルを生成するステップと、
前記周波数成分データにおける前記第１〜第ｎの周波数に対応した前記信号成分の各々に対して、前記周波数対位相テーブルにて示される前記第１〜第ｎの周波数に対応した前記第１〜第ｎの位相情報に基づく位相補正を施すステップと、を更に含むことを特徴とする請求項６に記載の受信装置の調整方法。
【発明の詳細な説明】
【技術分野】
【０００１】
本発明は、受信装置、特に無線送信された信号を受信して復調する受信装置、及び受信装置の調整方法に関する。
【背景技術】
【０００２】
このような受信装置には、アンテナで受信したＲＦ(Radio Frequency)信号を中間周波数帯域に変換してＩＦ(Intermediate Frequency)信号を生成するミキサと、当該ＩＦ信号中から受信希望チャネルの帯域を通過させるバンドパスフィルタ（以下、ＢＰＦと称する）とが含まれている。ここで、当該ＢＰＦとして、小型且つ良好なフィルタ特性を得る為に、アンプを搭載したアクティブ駆動型のＢＰＦが知られている。また、当該アクティブ駆動型のＢＰＦを採用した受信装置として、受信強度が高い場合にはＢＰＦの通過帯域を広げることにより、受信信号の中心周波数が所定の周波数からずれた状態にあっても、受信希望チャネルの帯域を確実に抽出できるようにした技術が提案されている（例えば特許文献１参照）。
【先行技術文献】
【特許文献】
【０００３】
【特許文献１】特開２０１２−２３９０１６号公報
【発明の概要】
【発明が解決しようとする課題】
【０００４】
しかしながら、上記のようなＢＰＦには、製造上のばらつき等により、通過帯域の中心周波数のずれ、或いはフィルタ特性に変動が生じる場合がある。よって、受信信号から精度良くデータ信号を復調することが出来ないという問題があった。
【０００５】
そこで、本願発明は、製造上のばらつきが生じていても、精度良くデータ信号を復調することが可能な受信装置、及び受信装置の調整方法を提供することを目的とする。
【課題を解決するための手段】
【０００６】
本発明に係る受信装置は、受信した高周波信号を中間周波信号に変換する周波数変換部と、前記中間周波信号における受信希望チャネルの帯域成分を選択中間周波信号として得るバンドパスフィルタと、前記選択中間周波信号に基づき受信強度を検出する受信強度検出回路と、前記バンドパスフィルタの低域側減衰領域内であり且つ前記受信希望チャネルの周波数よりも所定周波数だけ低い低周波数を有する第１のテスト信号と、前記バンドパスフィルタの高域側減衰領域内であり且つ前記受信希望チャネルの周波数よりも前記所定周波数だけ高い高周波数を有する第２のテスト信号とを順次、前記バンドパスフィルタに供給するテスト信号生成部と、前記第１のテスト信号が前記バンドパスフィルタに供給された際に前記受信強度検出回路が検出した前記受信強度を低周波受信強度として取り込むと共に、前記第２のテスト信号が前記バンドパスフィルタに供給された際に前記受信強度検出回路が検出した前記受信強度を高周波受信強度として取り込み、前記低周波受信強度と前記高周波受信強度との差に基づいて前記バンドパスフィルタの中心周波数を調整する調整制御回路と、前記選択中間周波信号の周波数を検出する周波数検出回路と、受信強度補正回路と、を有し、前記テスト信号生成部は、前記バンドパスフィルタの通過帯域内において周波数が時間経過につれて変化する第３のテスト信号を前記バンドパスフィルタに供給し、前記受信強度検出回路は、前記第３のテスト信号が前記バンドパスフィルタに供給された際に得られた前記選択中間周波信号に基づき、前記通過帯域内の第１〜第ｎ（ｎは２以上の整数）の周波数に夫々対応した第１〜第ｎの受信強度を検出し、前記調整制御回路は、前記第１〜第ｎの受信強度の各々と、基準受信強度との差分を第１〜第ｎの補正値として求め、前記第１〜第ｎの周波数と前記第１〜第ｎの補正値とを対応付けした補正テーブルを生成し、前記受信強度補正回路は、前記補正テーブルにおける前記第１〜第ｎの補正値のうちで前記周波数検出回路にて検出された周波数に対応付けされている前記補正値により、前記受信強度検出回路で検出された前記受信強度を補正する。
【０００８】
また、本発明に係る受信装置の調整方法は、受信した高周波信号を中間周波信号に変換する周波数変換部と、前記中間周波信号における受信希望チャネルの帯域成分を選択中間周波信号として得るバンドパスフィルタと、前記選択中間周波信号に基づき受信強度を検出する受信強度検出回路と、を有する受信装置の調整方法であって、前記バンドパスフィルタの低域側減衰領域内であり且つ前記受信希望チャネルの周波数よりも所定周波数だけ低い低周波数を有する第１のテスト信号を前記バンドパスフィルタに供給する第１ステップと、前記受信強度検出回路が検出した前記受信強度を低周波受信強度として取り込む第２ステップと、前記バンドパスフィルタの高域側減衰領域内であり且つ前記受信希望チャネルの周波数よりも前記所定周波数だけ高い高周波数を有する第２のテスト信号を前記バンドパスフィルタに供給する第３ステップと、前記受信強度検出回路が検出した前記受信強度を高周波受信強度として取り込む第４ステップと、前記低周波受信強度と前記高周波受信強度との差に基づいて前記バンドパスフィルタの中心周波数を調整する第５ステップと、前記バンドパスフィルタの通過帯域内において周波数が時間経過につれて変化する第３のテスト信号を前記バンドパスフィルタに供給する第６ステップと、前記第３のテスト信号が前記バンドパスフィルタに供給された際に得られた前記選択中間周波信号に基づき前記受信強度検出回路が検出した前記通過帯域内の第１〜第ｎ（ｎは２以上の整数）の周波数に夫々対応した第１〜第ｎの受信強度を取り込む第７ステップと、前記第１〜第ｎの受信強度の各々と基準受信強度との差分を第１〜第ｎの補正値として求め、前記第１〜第ｎの周波数と前記第１〜第ｎの補正値とを対応付けした補正テーブルを生成する第８ステップと、前記補正テーブルにおける前記第１〜第ｎの補正値のうちで前記選択中間周波信号の周波数に対応付けされている前記補正値により、前記受信強度検出回路で検出された前記受信強度を補正する第９ステップと、を有する。
【発明の効果】
【００１０】
本発明においては、受信希望チャネルの帯域を通過させるＢＰＦ（バンドパスフィルタ）の低域側減衰領域内であり且つ受信希望チャネルの周波数よりも所定周波数だけ低い低周波数を有する第１のテスト信号をＢＰＦに供給した際に検出された受信強度を低周波受信強度として取り込む。引き続き、ＢＰＦの高域側減衰領域内であり且つ受信希望チャネルの周波数よりも所定周波数だけ高い高周波数を有する第２のテスト信号をＢＰＦに供給した際に検出された受信強度を高周波受信強度として取り込む。そして、低周波受信強度と高周波受信強度との差に基づいてＢＰＦの中心周波数を調整するようにしている。
【００１１】
よって、かかる発明によれば、製造直後において、製造上のばらつきの影響によりＢＰＦの通過帯域の中心周波数が通信チャネルの周波数と一致していなくても、これを通信チャネルの周波数と一致させることが可能となる。これにより、中間周波信号から受信希望チャネルの帯域成分を確実に取得することができるようになるので、精度良くデータ信号の復調を行うことが可能となる。
【００１２】
また、本発明においては、ＢＰＦの通過帯域内において周波数が時間経過につれて変化するテスト信号をＢＰＦに供給した際に得られた選択中間周波信号における通過帯域内の第１〜第ｎの周波数に夫々対応した位相を検出して第１〜第ｎの位相情報を得る。そして、第１〜第ｎの周波数と第１〜第ｎの位相情報とを対応付けした補正テーブルを生成する。この際、復調回路内において、選択中間周波信号に対して高速フーリエ変換処理を施して得られた第１〜第ｎの周波数毎の信号成分を表す周波数成分データに対して、上記補正テーブルにて示される第１〜第ｎの周波数に対応した第１〜第ｎの位相情報に基づく位相補正を施すようにしている。
【００１３】
よって、かかる発明によれば、製造上のばらつきの影響によりＢＰＦの通過帯域内における群遅延特性が平坦ではない場合でも、復調回路内でこれを平坦な特性に変換することが可能となり、復調回路での復調エラー率の低減が図られる。
【図面の簡単な説明】
【００１４】
【図１】本発明に係る受信装置の構成を示すブロック図である。
【図２】受信を希望する通信チャネルＣＨ１と、これに隣接する通信チャネルＣＨ２及び３との間の周波数差ｆａを示す図である。
【図３】チャネル選択ＢＰＦ１４のバンドパス特性ＢＴにおける通過帯域の下限周波数ｆ１及び上限周波数ｆｎを示す図である。
【図４】テスト周波数信号Ｔｆを示す波形図である。
【図５】テスト調整制御を示すフローチャートである。
【図６】テスト調整制御を示すフローチャートである。
【図７】チャネル選択ＢＰＦ１４の通過帯域の中心周波数ｆＱと、通信チャネルＣＨ１の周波数ｆ０とにずれが生じている場合のバンドパス特性ＢＴの一例を示す図である。
【図８】チャネル選択ＢＰＦ１４の通過帯域の中心周波数ｆＱと、通信チャネルＣＨ１の周波数ｆ０とが等しい場合のバンドパス特性ＢＴを示す図である。
【図９】補正テーブルを表す図である。
【図１０】受信強度値Ｐ１〜Ｐｎの系列ＱＴ、基準受信強度値の系列ＶＴ、及び補正値Ｈの一例を示す図である。
【図１１】チャネル選択ＢＰＦ１４の通過帯域内において利得の偏差が生じている場合におけるバンドパス特性ＢＴの一例を示す図である。
【図１２】受信装置１００の他の構成を示すブロック図である。
【図１３】復調回路４６の内部構成を示すブロック図である。
【図１４】チャネル選択ＢＰＦ１４の通過帯域内における群遅延特性を示す図である。
【発明を実施するための形態】
【００１５】
図１は、本発明に係る受信装置１００の構成を示すブロック図である。図１において、送信装置（図示せぬ）から無線送信された送信信号はアンテナ１０によって受信される。このアンテナ１０で受信して得られた高周波信号ＲＦは、ローノイズアンプ回路としてのアンプ１１に供給される。尚、高周波信号ＲＦは、例えばＯＦＤＭ（orthogonal frequency division multiplex）等の周波数分割多重方式で変調された信号である。
【００１６】
アンプ１１は、かかる高周波信号ＲＦを増幅して得た受信信号ＡＲをミキサ１２に供給する。
【００１７】
ミキサ１２は、かかる受信信号ＡＲに、局部発振回路１３から供給された局部発振信号ＦＱを混合することにより中間周波数帯の中間周波信号ＩＦを生成する。局部発振回路１３は、受信希望チャネルに対応した周波数を有する局部発振信号ＦＱを生成してこれをミキサ１２に供給する。すなわち、ミキサ１２及び局部発振回路１３からなる周波数変換部は、高周波信号としての受信信号ＡＲを、中間周波数帯の中間周波信号ＩＦに変換するのである。ミキサ１２は、中間周波信号ＩＦをラインＬ１を介してチャネル選択バンドパスフィルタ回路（以下、チャネル選択ＢＰＦと称する）１４に供給する。
【００１８】
尚、アンプ１１及びミキサ１２は、テストの非実行を示す例えば論理レベル０のテスト信号ＴＳ０が供給されている間は上記した動作を行うが、テスト実行を示す論理レベル１のテスト信号ＴＳ０が供給されている間は動作停止状態となる。
【００１９】
チャネル選択ＢＰＦ１４は、中間周波信号ＩＦに対して、受信希望チャネルの帯域を通過させるフィルタリング処理を施して得た選択中間周波信号ＩＦＸを、中間周波増幅回路（ＩＦ−ＡＭＰ）１５に供給する。
【００２０】
図２は、受信希望チャネルが通信チャネルＣＨ１である場合に、当該通信チャネルＣＨ１に隣接する通信チャネルＣＨ２及びＣＨ３の各々と、隣接チャネル間の周波数差ｆａとを示す図である。また、図３は、チャネル選択ＢＰＦ１４のバンドパス特性ＢＴを表す図である。
【００２１】
尚、チャネル選択ＢＰＦ１４は、受信希望チャネルを通過させる通過帯域の中心周波数を、中心周波数指定データＣＤにて指定された中心周波数に設定する。
【００２２】
中間周波増幅回路１５は、選択中間周波信号ＩＦＸを増幅した選択中間周波信号ＩＦＡを、復調回路１６、ＲＳＳＩ（Received Signal Strength Indication）検出回路１７、及び周波数オフセット検出回路１８に供給する。
【００２３】
復調回路１６は、選択中間周波信号ＩＦＡに対して復調処理を施すことにより、無線送信された情報データ又は音声データを復元し、当該情報又は音声データを示す復調データ信号ＤＤＳを出力する。
【００２４】
ＲＳＳＩ検出回路１７は、選択中間周波信号ＩＦＡに基づき受信強度を検出しその受信強度値示す受信強度信号ＰＷをＲＳＳＩ補正回路２０に供給する。
【００２５】
周波数オフセット検出回路１８は、選択中間周波信号ＩＦＡに対して周波数検波を施して得られた周波数と、図２に示すような、受信を希望する通信チャネルＣＨ１の周波数ｆ０との周波数差を周波数オフセットとして検出する。すなわち、周波数オフセット検出回路１８は、受信を希望する通信チャネルの周波数ｆ０に対する選択中間周波信号ＩＦＡの周波数のずれを周波数オフセットとして検出する。周波数オフセット検出回路１８は、この周波数オフセットを示す周波数オフセット信号ＯＦをＲＳＳＩ補正回路２０に供給する。
【００２６】
ＲＳＳＩ補正回路２０は、先ず、周波数オフセット信号ＯＦにて示される周波数オフセットに基づき、中間周波信号ＩＦの周波数を求める。次に、ＲＳＳＩ補正回路２０は、補正値メモリ２１に書き込まれている補正テーブルから、中間周波信号ＩＦの周波数に対応した補正値を取得する。そして、ＲＳＳＩ補正回路２０は、受信強度信号ＰＷにて示される受信強度値を、この補正値にて補正して得た受信強度値を示す受信強度信号ＲＳＥを出力する。つまり、ＲＳＳＩ補正回路２０は、受信強度信号ＰＷにて示される受信強度値に補正値を加算又は減算して得られた値を示す受信強度信号ＲＳＥを出力するのである。
【００２７】
尚、上記した周波数オフセット検出回路１８として、選択中間周波信号ＩＦＡの周波数を直接検出する周波数検出回路を採用しても良い。この際、ＲＳＳＩ補正回路２０は、補正値メモリ２１に書き込まれている補正テーブルから、当該周波数検出回路によって検出された周波数に対応した補正値を取得すれば良い。
【００２８】
補正値メモリ２１には、初期の補正テーブルとして、隣接チャンネル間の周波数範囲内における各周波数に、受信強度値に対する初期の補正値を対応付けしたものが予め記憶されている。尚、初期の補正テーブルとは、中間周波信号ＩＦとして実際に取り得る周波数範囲内の各周波数に、受信強度の値を補正する為の初期補正値が対応付けされたものである。
【００２９】
テスト信号生成回路２２は、テスト実行を示す例えば論理レベル１のテスト信号ＴＳ１、ＴＳ２又はＴＳ３に応じて、テスト周波数信号Ｔｆを生成する。すなわち、テスト信号生成回路２２は、テスト信号ＴＳ１に応じて、図２に示すような受信を希望する通信チャネルＣＨ１の周波数ｆ０から、隣接する通信チャネル間の周波数差ｆａを減算した低周波数（ｆ０−ｆａ）を有するテスト周波数信号Ｔｆを生成する。また、テスト信号生成回路２２は、テスト信号ＴＳ２に応じて、上記した周波数ｆ０に周波数差ｆａを加算した高周波数（ｆ０＋ｆａ）を有するテスト周波数信号Ｔｆを生成する。
【００３０】
また、テスト信号生成回路２２は、テスト信号ＴＳ３に応じて、図３に示すチャネル選択ＢＰＦ１４のバンドパス特性ＢＴにて表される通過帯域の下限の周波数ｆ１から上限の周波数ｆｎに向けて時間経過に伴い周波数が変化するスィープ信号をテスト周波数信号Ｔｆとして生成する。
【００３１】
図４は、上記した周波数ｆ１から周波数ｆｎに向けて時間経過に伴い周波数が変化するスィープ信号としてのテスト周波数信号Ｔｆの一例を示す図である。
【００３２】
テスト信号生成回路２２は、受信装置１００の内部で用いられる基準クロック信号に同期させて上記したテスト周波数信号Ｔｆを生成し、これをアッテネータ２３に供給する。
【００３３】
アッテネータ２３は、テスト周波数信号Ｔｆの信号レベルを調整して得られたテスト周波数信号をスイッチ２４に供給する。
【００３４】
スイッチ２４は、テスト非実行を示す論理レベル０のテスト信号ＴＳ０が供給されている間はオフ状態となる一方、テスト実行を示す論理レベル１のテスト信号ＴＳ０が供給されている間はオン状態となる。スイッチ２４は、オン状態にある間だけ、アッテネータ２３にてレベル調整の施されたテスト周波数信号ＴｆをラインＬ１を介してチャネル選択ＢＰＦ１４に供給する。
【００３５】
レジスタ２５は、受信希望チャネルを通過させる帯域の中心周波数を指定する中心周波数指定データＣＤを記憶し、これをチャネル選択ＢＰＦ１４に供給する。
【００３６】
調整制御回路３０は、受信装置１００を含むシステム全体の制御を担う図示せぬＣＰＵ（Central Processing Unit）、或いは外部端子を介して供給されたテストコマンドＴＣＭに応じて、図５及び図６に示すテスト調整制御を実行する。
【００３７】
先ず、調整制御回路３０は、中心周波数の初期値を示す中心周波数指定データＣＤをレジスタ２５に書き込む（ステップＳ１）。
【００３８】
次に、調整制御回路３０は、テスト実行を示すテスト信号ＴＳ０をアンプ１１、ミキサ１２、及びスイッチ２４に供給する（ステップＳ２）。ステップＳ２の実行により、アンプ１１及びミキサ１２が動作を停止すると共にスイッチ２４がオン状態となる。
【００３９】
次に、調整制御回路３０は、テスト実行を示すテスト信号ＴＳ１をテスト信号生成回路２２に供給する（ステップＳ３）。
【００４０】
ステップＳ３の実行により、テスト信号生成回路２２は、図２に示す周波数ｆ０から、通信チャネル間の周波数差ｆａを減算した低周波数（ｆ０−ｆａ）を有するテスト周波数信号Ｔｆを生成する。かかるテスト周波数信号Ｔｆは、アッテネータ２３、スイッチ２４及びラインＬ１を介してチャネル選択ＢＰＦ１４に供給される。これにより、チャネル選択ＢＰＦ１４は、低周波数（ｆ０−ｆａ）を有するテスト周波数信号Ｔｆに対して、図３に示すバンドパス特性ＢＴに基づくフィルタリング処理を施すことにより選択中間周波信号ＩＦＸを得る。ＲＳＳＩ検出回路１７は、選択中間周波信号ＩＦＸを増幅した選択中間周波信号ＩＦＡに基づき、現時点での受信強度を示す受信強度信号ＰＷをＲＳＳＩ補正回路２０に供給する。ＲＳＳＩ補正回路２０は、補正値メモリ２１に記憶されている補正テーブルに基づき受信強度信号ＰＷの値を補正して得られた受信強度信号ＲＳＥを出力する。
【００４１】
次に、調整制御回路３０は、かかる受信強度信号ＲＳＥを取り込み、これを低周波強度値ＲＡとして内蔵レジスタ（図示せぬ）に記憶する（ステップＳ４）。
【００４２】
次に、調整制御回路３０は、テスト実行を示すテスト信号ＴＳ２をテスト信号生成回路２２に供給する（ステップＳ５）。
【００４３】
ステップＳ５の実行により、テスト信号生成回路２２は、図２に示す周波数ｆ０に、通信チャネル間の周波数差ｆａを加算した高周波数（ｆ０＋ｆａ）を有するテスト周波数信号Ｔｆを生成する。かかるテスト周波数信号Ｔｆは、アッテネータ２３、スイッチ２４及びラインＬ１を介してチャネル選択ＢＰＦ１４に供給される。これにより、チャネル選択ＢＰＦ１４は、高周波数（ｆ０＋ｆａ）を有するテスト周波数信号Ｔｆに対して、図３に示すバンドパス特性ＢＴに基づくフィルタリング処理を施すことにより選択中間周波信号ＩＦＸを得る。ＲＳＳＩ検出回路１７は、選択中間周波信号ＩＦＸを増幅した選択中間周波信号ＩＦＡに基づき、現時点での受信強度を示す受信強度信号ＰＷをＲＳＳＩ補正回路２０に供給する。ＲＳＳＩ補正回路２０は、補正値メモリ２１に記憶されている補正テーブルに基づいて、受信強度信号ＰＷの値を補正して得られた受信強度信号ＲＳＥを出力する。
【００４４】
次に、調整制御回路３０は、かかる受信強度信号ＲＳＥを取り込み、これを高周波強度値ＲＢとして内蔵レジスタに記憶する（ステップＳ６）。
【００４５】
次に、調整制御回路３０は、上記した低周波強度値ＲＡと高周波強度値ＲＢとが一致しているか否かを判定する（ステップＳ７）。
【００４６】
ステップＳ７において両者が一致していないと判定された場合、調整制御回路３０は、レジスタ２５に記憶されている中心周波数指定データＣＤにて示される中心周波数の値を所定値だけ増加又は低下させる（ステップＳ８）。
【００４７】
ステップＳ８の実行後、調整制御回路３０は、上記したステップＳ３の実行に戻り、前述したステップＳ３〜Ｓ８の動作を、ステップＳ７において低周波強度値ＲＡと高周波強度値ＲＢとが一致していると判定されるまで繰り返し実行する。
【００４８】
この間、低周波強度値ＲＡと高周波強度値ＲＢとが一致していない場合には、受信を希望する通信チャネルＣＨ１の周波数ｆ０と、チャネル選択ＢＰＦ１４のバンドパス特性ＢＴに基づく通過帯域の中心周波数とが一致していないことになる。
【００４９】
図７は、チャネル選択ＢＰＦ１４の通過帯域の中心周波数である中心周波数ｆＱと、通信チャネルＣＨ１の周波数ｆ０とにずれが生じている場合のバンドパス特性ＢＴの一例を示す図である。
【００５０】
そこで、調整制御回路３０は、周波数ｆ０と中心周波数ｆＱとを一致させる為に、ステップＳ８により、中心周波数指定データＣＤにて示される中心周波数の値を所定値だけ増加又は低下させるのである。これにより、チャネル選択ＢＰＦ１４の中心周波数ｆＱを通信チャネルＣＨ１の周波数ｆ０に一致させるように、チャネル選択ＢＰＦ１４のバンドパス特性ＢＴの調整が為されるのである。
【００５１】
ここで、低周波強度値ＲＡと高周波強度値ＲＢとが一致している場合には、チャネル選択ＢＰＦ１４の中心周波数ｆＱと通信チャネルＣＨ１の周波数ｆ０とが一致したことになる。
【００５２】
図８は、チャネル選択ＢＰＦ１４の通過帯域の中心周波数ｆＱと、通信チャネルＣＨ１の周波数ｆ０とが一致している場合のバンドパス特性ＢＴを示す図である。
【００５３】
よって、上記したステップＳ１〜Ｓ８によるバンドパス特性ＢＴの調整によれば、製造上のばらつきの影響により、チャネル選択ＢＰＦ１４の通過帯域の中心周波数が通信チャネルの周波数と一致していなくても、これを通信チャネルの周波数と一致させる調整が為される。従って、かかる調整後、チャネル選択ＢＰＦ１４は、中間周波信号から受信希望チャネルの帯域成分を精度良く取得することができるようになる。これにより、精度良くデータ信号の復調を行うことが可能となる。
【００５４】
図５に示すステップＳ１〜Ｓ８によるバンドパス特性ＢＴの調整終了後、調整制御回路３０は、引き続き以下のステップＳ９〜Ｓ１２を実行することにより、受信強度に対する補正値の調整を行う。
【００５５】
先ず、調整制御回路３０は、テスト実行を示すテスト信号ＴＳ３をテスト信号生成回路２２に供給する（ステップＳ９）。
【００５６】
ステップＳ９の実行により、テスト信号生成回路２２は、図４に示すように、チャネル選択ＢＰＦ１４の通過帯域の下限の周波数ｆ１から上限の周波数ｆｎに向けて時間経過につれて周波数が増加するテスト周波数信号Ｔｆを生成する。かかるテスト周波数信号Ｔｆは、アッテネータ２３、スイッチ２４及びラインＬ１を介してチャネル選択ＢＰＦ１４に供給される。これにより、チャネル選択ＢＰＦ１４は、図４に示すように周波数が時間経過につれて遷移するテスト周波数信号Ｔｆに対して、図８に示すバンドパス特性ＢＴに基づくフィルタリング処理を施すことにより選択中間周波信号ＩＦＸを得る。ＲＳＳＩ検出回路１７は、選択中間周波信号ＩＦＸを増幅した選択中間周波信号ＩＦＡに基づき、受信強度を示す受信強度信号ＰＷをＲＳＳＩ補正回路２０に供給する。すなわち、ＲＳＳＩ検出回路１７は、図４に示す周波数ｆ１〜ｆｎなる範囲内の各周波数に対応した受信強度信号ＰＷをＲＳＳＩ補正回路２０に供給するのである。ＲＳＳＩ補正回路２０は、補正値メモリ２１に記憶されている補正テーブルに基づいて、周波数ｆ１〜ｆｎなる範囲内の各周波数に対応した受信強度信号ＰＷの値を補正して得られた受信強度信号ＲＳＥを出力する。
【００５７】
次に、調整制御回路３０は、かかる受信強度信号ＲＳＥを取り込み、この受信強度信号ＲＳＥによって示される周波数ｆ１〜ｆｎの範囲内におけるｎ（ｎは２以上の整数）系統の各周波数に対応した受信強度値の各々を、図９に示すように、各周波数に対応した受信強度値Ｐ１〜Ｐｎとして内蔵レジスタに記憶する（ステップＳ１０）。
【００５８】
次に、調整制御回路３０は、周波数ｆ１〜ｆｎに対応した受信強度値の系列と、予め設定されている周波数ｆ１〜ｆｎ内の各周波数に対応した基準受信強度値の系列ＶＴとの差分値を、同一の周波数に対応したもの同士で求め、各周波数に対応させて求めた差分値群を補正値Ｈ１〜Ｈｎとして得る（ステップＳ１１）。
【００５９】
例えば、図１０に示すように、周波数ｆ１〜ｆｎ内の各周波数に対応した基準受信強度値の系列ＶＴ（一点鎖線にて示す）に対して、実際に得られた受信強度値Ｐ１〜Ｐｎの系列が実線にて示す系列ＱＴとなった場合、周波数ｆｒに対応した基準受信強度値よりも、周波数ｆｒに対応した受信強度値Ｐｒが小となる。この際、調整制御回路３０は、周波数ｆｒに対応した基準受信強度値と、周波数ｆｒに対応した受信強度値Ｐｒとの差分値の分だけ周波数ｆｒに対応した受信強度値を増加させる補正値Ｈｒを得る。また、図１０に示すように、周波数ｆｋに対応した基準受信強度値よりも、周波数ｆｋに対応した受信強度値Ｐｋが大となる場合には、調整制御回路３０は、両者の差分値の分だけ周波数ｆｋに対応した受信強度値を低下させる補正値Ｈｋを得る。
【００６０】
次に、調整制御回路３０は、周波数ｆ１〜ｆｎの範囲内のｎ系統の各周波数に対応付けされた補正値Ｈ１〜Ｈｎを示す補正テーブルを生成し、これを補正値メモリ２１に上書きすることにより補正テーブルを更新する（ステップＳ１２）。
【００６１】
このように、上記した受信強度に対する補正値の調整（Ｓ９〜Ｓ１２）では、先ず、テスト信号ＴＳ３をテスト信号生成回路２２に送出することにより、図４に示すように周波数ｆ１〜ｆｎの範囲でスィープするテスト周波数信号Ｔｆをチャネル選択ＢＰＦ１４に供給する（Ｓ９）。次に、チャネル選択ＢＰＦ１４から出力された選択中間周波信号ＩＦＸに基づき、図９及び図１０に示すような、周波数ｆ１〜ｆｎに対応した受信強度値Ｐ１〜Ｐｎの系列からなる受信強度特性ＱＴを測定する（Ｓ１０）。次に、図１０に示すように、この受信強度特性ＱＴにて示される周波数毎の受信強度値と、基準受信強度特性ＶＴにて示される周波数毎の受信強度値との差分値を同一周波数毎に算出し、各差分値を、基準受信強度特性ＶＴに合わせ込む為の補正値Ｈ１〜Ｈｎとして得る（Ｓ１１）。そして、各周波数ｆ１〜ｆｎに対応付けした補正値Ｈ１〜Ｈｎを示す補正テーブルを、補正値メモリ２１に上書きする（Ｓ１２）。
【００６２】
ＲＳＳＩ補正回路２０は、補正値メモリ２１の補正テーブルから周波数オフセット信号ＯＦに対応した周波数に対応付けされている補正値を読み出し、その補正値の分だけ受信強度信号ＰＷにて示される受信強度値を増加又は低下させる。つまり、ＲＳＳＩ補正回路２０は、受信強度信号ＰＷにて示される受信強度値を当該補正値にて補正するのである。ＲＳＳＩ補正回路２０は、かかる補正後の受信強度値を示す受信強度信号ＲＳＥを出力する。すなわち、ＲＳＳＩ補正回路２０は、チャネル選択ＢＰＦ１４の通過帯域内での利得特性として、基準受信強度特性ＶＴに基づく平坦な利得特性を想定し、この利得特性によって得られることになる受信強度値を、上記した補正処理によって求めるのである。
【００６３】
図１１は、チャネル選択ＢＰＦ１４の通過帯域内において利得の偏差が生じている場合におけるバンドパス特性ＢＴの一例を示す図である。この際、ＲＳＳＩ補正回路２０は、図１１に示すように、チャネル選択ＢＰＦ１４のバンドパス特性ＢＴの通過帯域内での利得特性として、基準受信強度特性ＶＴに基づく平坦な利得特性ＦＴ（一点鎖線）を想定し、この利得特性ＦＴによって得られることになる受信強度値を、上記した補正処理によって求めるのである。
【００６４】
よって、ＲＳＳＩ補正回路２０による受信強度信号ＰＷに対する補正によれば、図１１に示すように、チャネル選択ＢＰＦ１４の通過帯域内での利得が一定ではなく、且つ中間周波信号ＩＦの周波数が通過帯域の中心周波数ｆＱから誤差ｇだけずれていても、実際の受信強度（白丸にて示す）を示す受信強度信号ＲＳＥを得ることが可能となる。
【００６５】
尚、上記したテスト信号生成回路２２では、受信装置１００の内部で用いられる基準クロック信号に基づいてテスト周波数信号Ｔｆを生成しているが、テスト信号生成回路２２の内部にＰＬＬ（Phase Locked Loop）回路を設け、当該ＰＬＬ回路で生成されたクロック信号に基づきテスト周波数信号Ｔｆを生成するようにしても良い。また、テスト信号生成回路２２としては、局部発振回路１３で生成された局部発振信号ＦＱに基づきテスト周波数信号Ｔｆを生成するようにしても良い。
【００６６】
また、上記したテスト信号生成回路２２では、テスト信号ＴＳ１及びＴＳ２に応じて、受信希望チャネルよりも高周波数側に隣接するチャネルの高周波数（ｆ０＋ｆａ）、及び低周波数側に隣接するチャネルの低周波数（ｆ０−ｆａ）を有するテスト周波数信号Ｔｆを生成するようにしている。しかしながら、テスト信号ＴＳ１及びＴＳ２に応じて生成するテスト周波数信号Ｔｆの周波数は（ｆ０−ｆａ）及び（ｆ０＋ｆａ）に限定されない。要するに、テスト信号ＴＳ１に応じてテスト信号生成回路２２が生成するテスト周波数信号Ｔｆの周波数としては、図３に示すようなチャネル選択ＢＰＦ１４のバンドパス特性ＢＴにおける低域側の減衰領域ＡＴL内であり且つ受信希望チャネルの周波数ｆ０よりも所定周波数だけ低い低周波数であれば良い。更に、テスト信号ＴＳ２に応じてテスト信号生成回路２２が生成するテスト周波数信号Ｔｆの周波数としては、図３に示すようなチャネル選択ＢＰＦ１４のバンドパス特性ＢＴにおける高域側の減衰領域ＡＴU内であり且つ受信希望チャネルの周波数ｆ０よりも所定周波数だけ高い低周波数であれば良いのである。
【００６７】
また、テスト信号生成回路２２は、テスト信号ＴＳ３に応じて、チャネル選択ＢＰＦ１４の通過帯域の下限の周波数ｆ１から上限の周波数ｆｎに向けてスィープするテスト周波数信号Ｔｆを生成するようにしているが、スィープする周波数の範囲は周波数ｆ１〜ｆｎに限定されない。つまり、スィープする周波数の範囲としては、チャネル選択ＢＰＦ１４の通過帯域内における所定の低周波数から所定の高周波数までの範囲であれば良いのである。
【００６８】
また、上記した調整制御回路３０では、上記したステップＳ７及びＳ８において、低周波受信強度信号ＲＡと高周波受信強度信ＲＢとが一致、つまり両者の差がゼロとなるまで、中心周波数指定データＣＤにて示される中心周波数の値を段階的に増加又は低下させるようにしている。しかしながら、調整制御回路３０は、低周波受信強度信号ＲＡと高周波受信強度信ＲＢとの差に対応した分だけ中心周波数指定データＣＤにて示される中心周波数の値を変更するようにしても良い。つまり、調整制御回路３０は、ステップＳ７及びＳ８において、低周波受信強度信号ＲＡと高周波受信強度信ＲＢとの差に基づきチャネル選択ＢＰＦの通過帯域の中心周波数を調整するものであれば良いのである。
【００６９】
要するに、受信装置１００としては、以下のような周波数変換部（１２、１３）、ＢＰＦ（１４）、受信強度検出回路（１７）、周波数検出回路（１８）、受信強度補正回路（２０）、テスト信号生成部（２２〜２４）及び調整制御回路（３０）を含むものであれば良いのである。つまり、周波数変換部は、受信した高周波信号（ＲＦ、ＡＲ）を中間周波信号（ＩＦ）に変換する。ＢＰＦは、中間周波信号における受信希望チャネルの帯域成分を選択中間周波信号（ＩＦＸ）として得る。受信強度検出回路は、選択中間周波信号に基づき受信強度（ＰＷ）を検出する。周波数検出回路は、選択中間周波信号（ＩＦＸ、ＩＦＡ）の周波数を検出する。テスト信号生成部は、ＢＰＦの低域側減衰領域（ＡＴL）内であり且つ受信希望チャネルの周波数（ｆ０）よりも所定周波数だけ低い低周波数を有する第１のテスト信号と、ＢＰＦの高域側減衰領域（ＡＴU）内であり且つ受信希望チャネルの周波数よりも所定周波数だけ高い高周波数を有する第２のテスト信号とを順次、ＢＰＦに供給する。調整制御回路は、第１のテスト信号がＢＰＦに供給された際に受信強度検出回路が検出した受信強度を低周波受信強度（ＲＡ）として取り込むと共に、第２のテスト信号がＢＰＦに供給された際に受信強度検出回路が検出した受信強度を高周波受信強度（ＲＢ）として取り込み、これら低周波受信強度と高周波受信強度との差に基づいてＢＰＦの中心周波数を調整する。
【００７０】
また、テスト信号生成部は、ＢＰＦの通過帯域内において周波数が時間経過につれて変化する第３のテスト信号をＢＰＦに供給する。受信強度検出回路は、第３のテスト信号がＢＰＦに供給された際に得られた選択中間周波信号に基づき、通過帯域内の第１〜第ｎの周波数（ｆ１〜ｆｎ）に夫々対応した第１〜第ｎの受信強度（Ｐ１〜Ｐｎ）を検出する。調整制御回路は、第１〜第ｎの受信強度の各々と、基準受信強度との差分を第１〜第ｎの補正値（Ｈ１〜Ｈｎ）として求め、第１〜第ｎの周波数と第１〜第ｎの補正値とを対応付けした補正テーブルを生成する。受信強度補正回路は、補正テーブルにおける第１〜第ｎの補正値のうちで周波数検出回路にて検出された周波数に対応付けされている補正値により、受信強度検出回路で検出された受信強度を補正する。
【００７１】
ここで、図１に示す復調回路１６がＯＦＤＭ等の周波数分割多重方式で変調された受信信号の復調回路である場合には、テスト周波数信号Ｔｆに基づき周波数（ｆ１〜ｆｎ）毎の位相を表すテーブルを作成しておき、当該テーブルに基づき、復調回路１６内のＦＦＴ（Fast Fourier Transform）回路の出力に対して位相補正を施すようにしても良い。
【００７２】
図１２は、かかる点に鑑みて為された受信装置１００の他の構成を示すブロック図である。尚、図１２に示す構成では、上記した調整制御回路３０に代えて調整制御回路４０を採用すると共に復調回路１６に代えて復調回路４６を採用し、且つ位相検出回路４７を新たに設けた点を除く他の構成は、図１に示すものと同一である。
【００７３】
図１２において、位相検出回路４７は、選択中間周波信号ＩＦＡにおける位相を検出しその位相を示す位相信号ＦＳを調整制御回路４０に供給する。
【００７４】
調整制御回路４０は、調整制御回路３０と同様に、図５及び図６に示すテスト調整制御を実行する。この際、かかるテスト調整制御によって為される動作については、前述したものと同様である。ただし、図１２に示す構成では、図６に示すステップＳ９の実行によってテスト周波数信号Ｔｆがチャネル選択ＢＰＦ１４に供給されると、位相検出回路４７が、テスト周波数信号Ｔｆにおける周波数ｆ１、ｆ２、ｆ３、・・・、ｆｎ毎の位相を示す位相情報ＦＳ１、ＦＳ２、ＦＳ３、・・・、ＦＳｎを調整制御回路４０に供給する。尚、位相情報とは、所定の基準位相に対する位相の進み時間又は遅れ時間を示すものである。調整制御回路４０は、図９に示すように周波数ｆ１〜ｆｎと、位相情報ＦＳ１〜ＦＳｎとを対応づけした周波数対位相テーブルＦＳＤを作成し、これを補正値メモリ２１に書き込む。
【００７５】
復調回路４６は、例えば図１３に示す内部構成を有する。図１３において、Ａ／Ｄ変換器４６１は、アナログの選択中間周波信号ＩＦＡをディジタル値に変換して得られた中間周波データＤＩＦをＦＦＴ回路４６２に供給する。
【００７６】
ＦＦＴ回路４６２は、中間周波データＤＩＦに対して高速フーリエ変換処理を施して得られた、周波数（ｆ１〜ｆｎ）毎の信号成分を表す周波数成分データＦＦＤを位相補正回路４６３に供給する。
【００７７】
位相補正回路４６３は、先ず、補正値メモリ２１に記憶されている周波数対位相テーブルＦＳＤを読み出す。そして、周波数成分データＦＦＤにおける周波数ｆ１〜ｆｎ毎の信号成分の各々に対して、周波数対位相テーブルＦＳＤにて示される各周波数に対応した位相情報ＦＳに基づく位相補正を施す。例えば、位相補正回路４６３は、周波数ｆ１に対応した位相情報ＦＳ１が進み位相Ｗを示す場合には、周波数成分データＦＦＤにて示される周波数ｆ１に対応した信号成分に対して、位相Ｗだけその位相を遅らせる補正を行う。また、例えば、位相補正回路４６３は、周波数ｆ２に対応した位相情報ＦＳ２が遅れ位相Ｙを示す場合には、周波数成分データＦＦＤにて示される周波数ｆ２に対応した信号成分に対して、位相Ｙだけその位相を進ませる補正を行う。
【００７８】
位相補正回路４６３は、周波数成分データＦＦＤにおける各周波数成分に対して上記のような位相補正を施して得られた補正周波数成分データＦＣＤをＯＦＤＭ復調回路４６４に供給する。ＯＦＤＭ復調回路４６４は、補正周波数成分データＦＣＤに対してＯＦＤＭ復調処理を施して得られた復調データ信号ＤＤＳを出力する。
【００７９】
要するに、図１２に示す受信装置１００は、以下のような周波数変換部（１２、１３）、ＢＰＦ（１４）、復調回路（４６）、テスト信号生成部（２２〜２４）、位相検出回路（４７）及び調整制御回路（３０）を含むものである。つまり、周波数変換部は、受信した高周波信号（ＲＦ、ＡＲ）を中間周波信号（ＩＦ）に変換する。ＢＰＦは、中間周波信号における受信希望チャネルの帯域成分を選択中間周波信号（ＩＦＸ）として得る。テスト信号生成部は、ＢＰＦの通過帯域の周波数範囲内において周波数が時間経過につれて変化するテスト信号をＢＰＦに供給する。位相検出回路は、テスト信号がＢＰＦに供給された際に得られた選択中間周波信号における上記通過帯域内の第１〜第ｎの周波数（ｆ１〜ｆｎ）に夫々対応した位相を検出して第１〜第ｎの位相情報（ＦＳ１〜ＦＳｎ）を得る。調整制御回路は、第１〜第ｎの周波数と第１〜第ｎの位相情報とを対応付けした補正テーブルを生成する。復調回路は、選択中間周波信号に対して高速フーリエ変換処理を施して得られた周波数毎の信号成分を表す周波数成分データ（ＦＦＤ）を得て、この周波数成分データに対して復調処理を施すことにより復調データ信号（ＤＤＳ）を得る。この際、復調回路には、周波数成分データにおける第１〜第ｎの周波数に対応した信号成分の各々に対して、上記した補正テーブルにて示される第１〜第ｎの周波数に対応した第１〜第ｎの位相情報に基づく位相補正を施す位相補正回路が設けられている。
【００８０】
よって、図１２及び図１３に示す構成によれば、チャネル選択ＢＰＦ１４の通過帯域内における群遅延特性が図１４の一点鎖線に示すように平坦とはなっていない場合でも、復調回路４６内で、これを平坦な特性に変換することが可能となる。これにより、ＯＦＤＭ復調回路４６４での復調エラー率の低減が図られる。
【符号の説明】
【００８１】
１４          チャネル選択ＢＰＦ
２０          ＲＳＳＩ補正回路
２１          補正値メモリ
２２          テスト信号生成回路
２４          スイッチ
３０          調整制御回路
【図１】
0006466200.tif 000002
【図２】
0006466200.tif 000003
【図３】
0006466200.tif 000004
【図４】
0006466200.tif 000005
【図５】
0006466200.tif 000006
【図６】
0006466200.tif 000007
【図７】
0006466200.tif 000008
【図８】
0006466200.tif 000009
【図９】
0006466200.tif 000010
【図１０】
0006466200.tif 000011
【図１１】
0006466200.tif 000012
【図１２】
0006466200.tif 000013
【図１３】
0006466200.tif 000014
【図１４】
0006466200.tif 000015